(57)【要約】【課題】陸上設備が一部電源喪失してもバースから適切にサイロへ搬送物を搬送可能な貯蔵設備を提供する。【解決手段】本発明の貯蔵設備１０は、複数のバースと複数のサイロの間で、１の前記バースに対して複数の前記サイロを繋ぐ搬送用エア経路を形成し、各搬送用エア経路には末端の各サイロ側に属する陸上設備の弁切替制御部３０による開動作で船舶からのエア搬送を受入可能とし、又は閉動作で前記船舶からのエア搬送の受入を停止するエア式受入切替弁４０を取り付けた貯蔵設備１０において、  前記エア式受入切替弁４０と前記弁切替制御部３０を繋ぐ切替用エア経路２０上に分岐点５０を設けて、全切替用エア経路２０の各分岐点５０に跨る接続経路６０を設け、前記接続経路６０上に経路の開放又は閉止の切替弁７０と、前記分岐点５０と前記弁切替制御部３０との間に経路の開放又は閉止の手動弁８０を設けたことを特徴とする。【選択図】    図１
2020045131.tif 000002
【特許請求の範囲】
【請求項１】
複数のバースと複数のサイロの間で、１の前記バースに対して複数の前記サイロを繋ぐ搬送用エア経路を形成し、各搬送用エア経路には末端の各サイロ側に属する陸上設備の弁切替制御部による開動作で船舶からのエア搬送を受入可能とし、又は閉動作で前記船舶からのエア搬送の受入を停止するエア式受入切替弁を取り付けた貯蔵設備において、
前記エア式受入切替弁と前記弁切替制御部を繋ぐ切替用エア経路上に分岐点を設けて、全切替用エア経路の各分岐点に跨る接続経路を設け、前記接続経路上に経路の開放又は閉止の切替弁と、前記分岐点と前記弁切替制御部との間に経路の開放又は閉止の手動弁を設けたことを特徴とする貯蔵設備。
【請求項２】
請求項１に記載された貯蔵設備であって、
前記切替弁は、通常稼働時において閉止し、陸上設備の電源喪失時において開放することを特徴とする貯蔵設備。
【請求項３】
請求項２に記載の貯蔵設備であって、
前記切替用エア経路は、前記陸上設備の電源喪失時において、エア搬送を行う前記バースの船舶に接続して搬送エアを受入れ可能なことを特徴とする貯蔵設備。
【発明の詳細な説明】
【技術分野】
【０００１】
本発明はバースの船舶から陸上のサイロへ石灰石などの搬送物を圧縮エアで搬送する搬送用エア経路を備えた貯蔵設備に関する。
【背景技術】
【０００２】
従来、バースに接岸する船舶から陸上のサイロ（タンクともいう）へ搬送物を搬送して一時的に貯蔵する貯蔵設備がある（特許文献１に開示）。
図３はバースとサイロの説明図である。図示のように、貯蔵設備は複数のバース（同図中にはバースＡ，Ｂの２箇所を示す）と、複数のサイロ（同図中には１号、２号サイロの２箇所を示す）と、バース及びサイロ間を接続する搬送用エア経路を設けている。
この搬送用エア経路は、１のバースから複数のサイロを繋ぐ経路であり、例えば、バースＡから１号サイロと２号サイロの間、バースＢから１号サイロと２号サイロの間を接続している。搬送用エア経路上にはエア式受入切替弁（同図中には１号受入切替弁Ａ、１号受入切替弁Ｂ、２号受入切替弁Ａ、２号受入切替弁Ｂを示す）を設けてあり、搬送工程中では１の経路のみ（例えば、バースＡから１号サイロ、バースＡから２号サイロ、バースＢから１号サイロ、バースＢから２号サイロのいずれか１）を用い、その他の経路は閉止している。
そして、各エア式受入切替弁は、搬送用エア経路の末端のサイロ側の陸上設備（同図中の１号サイロの陸上設備、２号サイロの陸上設備）の弁切替制御部による開動作でエア搬送の受入、又は閉動作でエア搬送の受入停止の制御を可能とする構成である。
【０００３】
またエア式受入切替弁は、自然災害、人為的なトラブルなどによって陸上設備の電源が喪失した場合、自動的に閉止して過剰搬送、貯蔵物の逆流など設備全体の不具合を防止可能な構成を採用している。
しかしながら、従来のエア式受入切替弁は、陸上設備の電源喪失によって自動閉止したとき、時間と共にエアが抜けてしまい、閉止状態を維持できず経路が解放してしまうおそれがあった。そうすると他の電源供給可能なサイロへの搬送作業に不都合（例えば、バースＡから１号サイロへ搬送物を搬送する際、２号サイロのエア式受入切替え弁が閉止から開放されて２号サイロ側に漏れてしまうなど）が生じる可能性がある。
【先行技術文献】
【特許文献】
【０００４】
【特許文献１】特許第５０８９６２０号公報
【発明の概要】
【発明が解決しようとする課題】
【０００５】
本発明が解決しようとする課題は、上記従来技術の問題点に鑑み、陸上設備が一部電源喪失してもバースから適切にサイロへ搬送物を搬送可能な貯蔵設備を提供することにある。
【課題を解決するための手段】
【０００６】
本発明は、上記課題を解決するための第１の手段として、複数のバースと複数のサイロの間で、１の前記バースに対して複数の前記サイロを繋ぐ搬送用エア経路を形成し、各搬送用エア経路には末端の各サイロ側に属する陸上設備の弁切替制御部による開動作で船舶からのエア搬送を受入可能とし、又は閉動作で前記船舶からのエア搬送の受入を停止するエア式受入切替弁を取り付けた貯蔵設備において、
前記エア式受入切替弁と前記弁切替制御部を繋ぐ切替用エア経路上に分岐点を設けて、全切替用エア経路の各分岐点に跨る接続経路を設け、前記接続経路上に経路の開放又は閉止の切替弁と、前記分岐点と前記弁切替制御部との間に経路の開放又は閉止の手動弁を設けたことを特徴とする貯蔵設備を提供することにある。
上記第１の手段によれば、陸上設備が一部電源喪失してもバースから適切にサイロへ搬送物を搬送することができる。
【０００７】
本発明は、上記課題を解決するための第２の手段として、第１の手段において、前記切替弁は、通常稼働時において閉止し、陸上設備の電源喪失時において開放することを特徴とする貯蔵設備を提供することにある。
上記第２の手段によれば、通常の搬送工程を支障なく実現できる。陸上設備が一部電源喪失してもバースから適切にサイロへ搬送物を搬送することができる。
【０００８】
本発明は、上記課題を解決するための第３の手段として、第２の手段において、前記切替用エア経路は、前記陸上設備の電源喪失時において、エア搬送を行う前記バースの船舶に接続して搬送エアを受入れ可能なことを特徴とする貯蔵設備を提供することにある。
上記第３の手段によれば、電源喪失に伴う圧縮空気喪失時に船舶の圧縮エアを利用できる。
【発明の効果】
【０００９】
本発明によれば、陸上設備が一部電源喪失してもバースから適切にサイロへ搬送物を搬送することができる。
【図面の簡単な説明】
【００１０】
【図１】本発明の貯蔵設備の構成概略図である。
【図２】貯蔵設備の運転モードの説明図である。
【図３】バースとサイロの説明図である。
【発明を実施するための形態】
【００１１】
本発明の貯蔵設備の実施形態について、図面を参照しながら、以下詳細に説明する。
【００１２】
［貯蔵設備１０］
図１は、本発明の貯蔵設備の構成概略図である。本発明の貯蔵設備１０の複数のバースと複数のサイロを繋ぐ搬送用エア経路の基本構成は、従来構成と同じであるが、切替用エア経路の構成が異なっている。
切替用エア経路２０は、末端のサイロ側の陸上設備に属し、それぞれサイロごとに複数形成されている。各切替用エア経路２０は一端が弁切替制御部３０に接続し、他端がエア式受入切替弁４０に接続しており、切替用エア経路２０上に分岐点５０を設けている。さらに各分岐点５０に接続する接続経路６０を設けている。接続経路６０上には切替弁７０を設けている。また切替用エア経路２０は、弁切替制御部３０に接続する一端側をバースの船舶と接続可能に構成して、船舶からの圧縮エアを供給可能にしている。これにより、電源喪失に伴う圧縮空気喪失時に船舶の圧縮エアを利用できる。
【００１３】
エア式受入切替弁４０の具体的な構成は、電磁弁４２とバタフライ弁４４を組み合わせている。弁切替制御部３０による電磁弁４２のＯＦＦ又はＯＮ動作の切替え及び、圧縮エアの供給によって電磁弁４２からバタフライ弁４４へ圧縮エアが供給されてバタフライ弁４４の開放又は閉止動作により搬送用エア経路の搬送物の搬送又は停止の制御が実現できる。
切替弁７０は手動式であり、搬送工程中（通常時）は閉止し、電源喪失時には開放可能な切り替え操作を行う。
切替用エア経路２０上の分岐点５０と弁切替制御部３０の間に手動弁８０を設けている。手動弁８０は、搬送工程中（通常時）は開放し、電源喪失時には閉止可能な切り替え操作を行う。
【００１４】
［作用］
図２は貯蔵設備の運転モードの説明図である。
（通常搬送工程）
同図の上から第２行目に示すバースＡから１号サイロに搬送物を搬送する場合、１号受入切替弁Ａを開放し、その他のエア式受入切替弁（１号受入切替弁Ｂ、２号受入切替弁Ａ、２号受入切替弁Ｂ）を閉止する。また、通常搬送工程中は、手動弁８０（１号及び２号手動弁）は開放し、切替弁７０は閉止する。このような構成により搬送物を搬送している。
その他、バースＢから１号サイロ、バースＡから２号サイロ、バースＢから２号サイロについても対応するエア式切替え弁の開閉操作によって実現できる。
【００１５】
（陸上設備の電源喪失時）
同図の上から第６行目に示す２号サイロ側電源喪失時Ａにおいて、バースＡから１号サイロに搬送物を搬送する場合、電源供給可能な１号受入切替弁Ａを開放し、１号受入切替弁Ｂを閉止する。２号受入切替弁Ａ，Ｂはいずれも電源喪失による自動閉止動作によって閉止状態（Ｆ．Ｃ：Ｆａｉｌ  Ｃｌｏｓｅ）となる。また、２号サイロ側電源喪失の際、切替弁７０を開放する。さらに２号手動弁を閉止する。このような構成により電源供給可能な１号側の弁切替制御部３０から１号受入切替弁Ａの開放切替制御と共に、接続経路を介して自動閉止した２号受入切替弁Ａ，Ｂにも圧縮エアが供給されて、閉止状態を維持できる。
その他、２号サイロ側電源喪失時Ｂ、１号サイロ側電源喪失時Ａ、１号サイロ側電源喪失時Ｂについても対応するエア式エア式切替え弁の開閉操作によって実現できる。
なお、搬送工程停止（未受入時）中は、全エア式受入切替弁を閉止し、１号及び２号手動弁は開放し、エア切替え手動弁は閉止している。
【００１６】
このような本発明によれば、電源喪失に伴う圧縮空気喪失時に船舶の圧縮エアを利用できる。
なお上記実施形態ではバースＡ，Ｂと１号及び２号サイロの構成で説明したが、この他、バースが３つ以上、サイロも３つ以上の構成についても適用することができる。
以上、本発明の好ましい実施形態について説明した。しかしながら、本発明は、上記実施形態に何ら制限されることなく、本発明の主旨を逸脱しない範囲において、種々の変更が可能である。
また、本発明は、実施形態において示された組み合わせに限定されることなく、種々の組み合わせによって実施可能である。
【産業上の利用可能性】
【００１７】
本発明は、特にバースに接岸する船舶から陸上のサイロ（タンクともいう）へ搬送物を搬送して一時的に貯蔵する貯蔵設備の分野おいて産業上の利用可能性を有する。
【符号の説明】
【００１８】
１０  貯蔵設備
２０  切替用エア経路
３０  弁切替制御部
４０  エア式受入切替弁
５０  分岐点
６０  接続経路
７０  切替弁
８０  手動弁
【図１】
2020045131.tif 000003
【図２】
2020045131.tif 000004
【図３】
2020045131.tif 000005